(57)【要約】【課題】サイズ、形状の異なる容器Ｂに兼用可能にする。【解決手段】バルブハウジング２の内部に、充填液供給配管６に連通する充填液通路４が形成されるとともに、下端に充填ノズル３１が設けられている。前記充填液通路４は液バルブ８によって開閉される。さらに、容器Ｂの口部をシールするパッキン３８と、パッキン３８を昇降させるシリンダ４２と、容器Ｂ内に充填される充填液量を検出するフローメータ３３と、前記バルブハウジング２に形成された排気通路４４とを備えている。排気通路４４の容器側開口部を、前記充填ノズル３１の開口部の外側に位置させるとともに、前記充填ノズル３１の開口部を容器Ｂ内の充填液の入味高さよりも上方に位置させた状態で充填を行う。【選択図】　　　　図１
2004136927.tif 000002
【特許請求の範囲】
【請求項１】
内部に充填液供給配管に連通する充填液通路が形成されるとともに、下端に充填ノズルが設けられたバルブハウジングと、前記充填液通路を開閉する液バルブと、この液バルブを昇降させる液バルブ昇降手段と、前記バルブハウジングに設けられ、供給された容器の口部をシールするシール手段と、このシール手段と容器とを相対的に昇降させるシール用昇降手段と、容器内に充填される充填液量を検出する充填量検出手段と、前記バルブハウジングに形成され、容器内部の気体を排出する排気通路とを備え、
前記排気通路の容器側開口部を、前記充填ノズルの開口部の外側に位置するように形成するとともに、前記充填ノズルの開口部を容器内の充填液の入味高さよりも上方に位置させた状態で充填を行うことを特徴とする充填バルブ。
【請求項２】
前記充填液通路の充填液供給配管と連通する個所に大径部を設け、この大径部の充填液通路面積を充填液供給配管の充填液通路面積よりも大きくするとともに、この大径部の下流側に絞り部を形成したことを特徴とする請求項１に記載の充填バルブ。
【請求項３】
前記充填液通路の液バルブよりも上流側に、充填液を整流させる整流羽根が設けられていることを特徴とする請求項１または請求項２に記載の充填バルブ。
【請求項４】
前記充填ノズル内の液通路を下端に向かって次第に小径になるテーパ状にしたことを特徴とする請求項１ないし請求項３のいずれかに記載の充填バルブ。
【発明の詳細な説明】
【０００１】
【発明が属する技術分野】
本発明は、充填装置に設けられた充填バルブに係り、特に、容器の口部をびん口パッキン等のシール部材によりシールした状態で、炭酸ガス飲料やノンガス飲料を充填する充填バルブに関するものである。
【０００２】
【従来の技術】
充填装置は一般に、バルブハウジングの内部に形成された充填液通路と、この充填液通路の下流端に設けられた充填ノズルと、これら充填液の流れる通路を開閉する液バルブとを有する充填バルブを備えており、前記液バルブを開放して充填液通路の下流端に設けた充填ノズルから容器内に充填液を注入するようになっている。
【０００３】
このような充填装置によって、例えば、炭酸ガス入り飲料を容器内に充填する場合には、容器の上端開口部を密閉する必要があるため、前記充填バルブのバルブハウジングに円筒状の昇降部材を嵌合させ、さらに、この昇降部材に、容器の上端開口部を案内するセンタリングガイドと、その上端開口部を密封するびん口パッキンとを取付け、このびん口パッキンを容器の上端開口部全周に圧着させ容器内を密封した状態にして充填を行うようにしている。また、容器内を密封した状態で充填を行うには、容器内部に封入された気体を排出するための排気通路を設ける必要があり、この排気通路によって容器内の気体を排出しつつ液体の充填を行うようにしている。
【０００４】
前記のように容器の口部を密封して充填を行う充填装置として、従来から二つのタイプの充填方式が知られている。その一方は、圧力平衡式と呼ばれるもので（例えば、特許文献１参照）、以下のように構成されている。すなわち、フィラーボウル内の底面上に直立してケースを固定し、このケース内にパイプ（バルブステムおよびその下端のベントチューブ）を昇降可能に支持させる。前記パイプの内部が排気通路を構成し、外面側が充填液通路を構成しており、この充填液通路は液バルブによって開閉される。充填時には、前記バルブステム下端のベントチューブを容器内部に挿入して液バルブを開放する。
【０００５】
液バルブが開くと、充填液通路および充填ノズルを通って容器内に液体が流入し、容器内の気体が排気通路からフィラーボウルの液面上の空間に放出される。容器内に充填された液体の液面が上昇し、前記排気通路の開口をふさいで容器内の圧力とフィラーボウル内の圧力が平衡すると充填が終了する。また、前記ベントチューブにはスプレッダが取り付けられており、このスプレッダによって容器内に流入する液体を容器の内面に沿わせるようにして、充填時の泡立ちを防止している。
【０００６】
他方の充填方式は、フローメーターやレベルセンサによって充填量を検出し、所定量になったときに充填を終了する充填量検出式であり（例えば特許文献２参照）。この特許文献２に記載された充填装置は、ハウジングとその内部の内部片との間に環状の液体供給路が有り、この液体供給路は液体弁によって、つまり、シリンダによって上下する環状密閉要素によって開閉される。環状の液体供給路の注入口は、下部が円錐状に大きくなっており、それによって液体噴流は容器の内壁に導かれて、底部に向かって流下する。
【０００７】
前記内部片の上部には気体通路が設けられており、排気弁を介して排気室に接続され、また、吸気弁を介して環状槽の気体空間にも接続されている。さらに、前記内部片の中心部には液面レベルセンサが取り付けられており、このレベルセンサから液面までの距離が一定値に達した時点で前記流体弁を閉じるようになっている。
【０００８】
【特許文献１】
特開平８−１１９８９号公報（第４−５頁、図２）
【特許文献２】
特開平６−１４４４９１号公報（第４頁、図１）
【０００９】
【発明が解決しようとする課題】
前記第１の特許文献に記載された構成では、充填終了時点で排気通路内に充填液が残っているので、次の充填前に排出する必要があり、特に、高速運転を行う場合には、排出するための特別な機構が必要となる。しかも、充填時に、ベントチューブが充填液に接触するので、サニタリー性に問題があった。また、容器のサイズや形状が変更になった場合には、排気通路を構成するベントチューブやスプレッダを交換しなければならないという問題があった。
【００１０】
また、第２の特許文献に記載された構成では、排気通路の開口部が液体供給路の開口部よりも上方に位置しているので、排気通路が充填液に接触することはなく、充填終了時に排気通路内に充填液が残留することもない。しかしながら、この構成では、充填液を容器の内壁に沿わせて充填するようにしているため、缶や口部の内面が平坦で肩部が滑らかな容器の場合は、充填液が容器の内面に沿って充填されるので泡立ちを押さえることができるが、リシール缶やボトル缶のように口部の内面に外面のねじ形状に対応した凹凸が形成されている場合には、充填液が跳ね返って、かえって泡立ちを起こさせるという問題があった。
【００１１】
本発明は、前記課題をのぞくためになされたもので、サニタリー性に優れるとともに、異なるサイズ、形状の容器に兼用するためにアタッチメントの交換をする必要がない充填バルブを提供することを目的とするものである。また、容器の中央部から充填するようにして、容器の形状に左右されず、安定した充填を行うことができる充填バルブを提供することを目的とするものである。
【００１２】
【課題を解決するための手段】
請求項１に記載した発明に係る充填バルブは、内部に充填液供給配管に連通する充填液通路が形成されるとともに、下端に充填ノズルが設けられたバルブハウジングと、前記充填液通路を開閉する液バルブと、この液バルブを昇降させる液バルブ昇降手段と、前記バルブハウジングに設けられ、供給された容器の口部をシールするシール手段と、このシール手段と容器とを相対的に昇降させるシール用昇降手段と、容器内に充填される充填液量を検出する充填量検出手段と、前記バルブハウジングに形成され、容器内部の気体を排出する排気通路とを備えており、特に、前記排気通路の容器側開口部を、前記充填ノズルの開口部の外側に位置するように形成するとともに、前記充填ノズルの開口部を容器内の充填液の入味高さよりも上方に位置させた状態で充填を行うようにしたものである。
【００１３】
この発明に係る充填バルブでは、排気通路の開口部を充填ノズルの開口部（給液口）の外側に配置しており、充填ノズルが内側に位置して容器の中央部から充填するようになっているので、容器の形状に左右されず安定した充填を行うことができる。しかも、充填ノズルの開口部を、容器内に充填された充填液の液面に接触しない高さに配置しているので、サニタリー性に優れており、また、異なる形状、サイズの容器に兼用するためのアタッチメントの交換が必要ない。
【００１４】
また、請求項２に記載した発明に係る充填バルブは、前記充填液通路の充填液供給配管と連通する個所に大径部を設け、この大径部の充填液通路面積を充填液供給配管の充填液通路面積よりも大きくするとともに、この大径部の下流側に絞り部を形成したことを特徴とするものである。
【００１５】
請求項２に記載の発明に係る充填バルブでは、充填液供給配管から充填液通路に流入する入口に大径部を設けて液体の流れを緩和し、さらに、その下流側の絞り部によって流れを抑制するので、容器内に充填される液体を容器の内壁に沿わせなくとも、緩やかに流入させ泡立ちを防止することができる。
【００１６】
さらに、請求項３に記載した発明に係る充填バルブは、前記充填液通路の液バルブよりも上流側に、充填液を整流させる整流羽根が設けられていることを特徴とするものである。
【００１７】
請求項３に記載の充填バルブでは、整流羽根によって充填液を整流して容器内に注入するので、滑らかに充填することができ泡立ちを防止することができる。
【００１８】
また、請求項４に記載した発明に係る充填バルブは、前記充填ノズル内の液通路を下端に向かって次第に小径になるテーパ状にしたことを特徴とするものである。
【００１９】
請求項４に記載の充填バルブでは、充填ノズル内の液通路が、液出口側に向かって小径となるテーパ状になので、充填液の整流効果をさらに高めることができる。
【００２０】
【発明の実施の形態】
以下、図面に示す実施の形態により本発明を説明する。図１は本発明の一実施の形態に係る充填バルブの縦断面図である。この充填バルブ（全体として符号１で示す）は、いわゆるリフタレスタイプの充填装置に設けられているもので、容器Ｂを水平搬送し、後に説明する容器口パッキンを下降させて、この容器Ｂの口部に密着させることにより容器Ｂ内部をシールした後、この充填バルブ１によって容器Ｂ内への充填を行うようになっている。
【００２１】
充填バルブ１のバルブハウジング２は、下部寄りに大径部２ａが形成され、さらに、この大径部２ａの下方に小径部２ｂが設けられている。このバルブハウジング２の内部に充填液通路４が形成されており、図示しない充填液タンクから充填液供給配管６を介して送られた充填液が、この充填液通路４を通って容器Ｂ内に充填される。
【００２２】
前記バルブハウジング２内に、前記充填液通路４を開閉する液バルブ８が設けられている。この液バルブ８は、充填液通路４内に昇降可能に挿通されたロッド１０の下端に形成されている弁体１２と、前記充填液通路４の下部内面に設けられた弁座１４とによって構成されている。この弁体１２の、弁座１４に着座する部分の外周面には、シール部材１２ａが嵌着されて液密を保持するようになっている。前記弁体１２を有するロッド１０は、バルブハウジング２の上部に設けられたバルブ開閉用エアシリンダ（液バルブ昇降手段）１６によって昇降する。
【００２３】
このバルブ開閉用エアシリンダ１６の構成について簡単に説明する。前記昇降ロッド１０の上部にピストン１８が設けられ、バルブハウジング２の上端に固定されたシリンダハウジング２０内に摺動自在に嵌合して、シリンダハウジング２０の内部の空間を上下の圧力室２２、２４に区画している。これら両圧力室２２、２４は、それぞれエア通路２６、２７を介してエア圧力源（図示せず）に接続されており、各圧力室２２、２４内に圧力エアを導入し、または、大気に開放できるようになっている。上方の圧力室２２に圧力エアを導入したときには、ピストン１８とともに昇降ロッド１０が下降して弁体１２が弁座１４に着座することにより前記充填液通路４を閉じ、下方の圧力室２４にエアを導入したときには、ピストン１８とともに昇降ロッド１０が上昇して弁体１２が弁座１４から離座し充填液通路４を開放する。
【００２４】
なお、バルブハウジング２内の充填液通路４側と上方のエアシリンダ１６との間にはダイヤフラム２８が介装されており、飲料等の液体が流通する充填液通路４側とエアシリンダ１６との間が完全に遮断されている。また、前記弁体１２が設けられた昇降ロッド１０の外面には、充填液通路４内を通過する充填液の流れを整流する整流羽根３０が複数枚取り付けられている。
【００２５】
前記充填液通路４の、液バルブ８よりも下方には、充填ノズル３１が設けられている。この充填ノズル３１の内部の液通路３１ａは、上方から下方に向けて次第に内径が小さくなるテーパ形状をしており、この充填ノズル３１を通って容器Ｂ内に充填される充填液の整流効果を高めるようになっている。この充填ノズル３１の内部通路３１ａの出口側には、容器Ｂ内に異物が混入することを防止するスクリーン３１ｂが取り付けられている。なお、この実施の形態では、充填ノズル３１の先端を容器Ｂの口部の上方に位置させて充填を行うようになっており（図１に示す状態）、充填ノズル３１の液出口の内径は、容器Ｂの口部の内径よりも小さくなっている。
【００２６】
バルブハウジング２の上端部に前記充填液供給配管６が接続されている。この充填液供給配管６とバルブハウジング２内の充填液通路４との接続部の構成について、この部分を拡大して示す図２により説明する。充填液供給配管６が接続されている充填液通路４の上端部には、内径が拡大された大径部４ａが設けられている。この大径部４ａの流路面積は、充填液供給配管６の流路面積よりも大きくなっている。
【００２７】
そして、この大径部４ａの下方には、前記ロッド１０の外径を拡大することにより充填液通路４の流路を狭めた絞り部４ｂが形成されている。このようにバルブハウジング２内の充填液通路４の入口部に、大径部４ａと絞り部４ｂとを形成しているので、充填液供給配管６から流入してくる充填液が、大径部４ａで流勢が緩和され、さらに絞り部４ｂで絞られることにより、緩やかな流れとなって下流側に流れていく。例えば、充填液タンク（図示せず）から加圧された充填液が供給されてくる場合でも、充填液通路４内に形成されたこれら大径部４ａと絞り部４ｂとにより、充填液が自重で落下していく場合のように流れを緩やかにすることができる。
【００２８】
この充填装置では、前記充填液供給配管６にフローメータ３３が設けられており、充填液供給配管６を介して供給され、充填液通路４を通って充填ノズル３１から容器Ｂ内に充填される充填液の流量を検出している。なお、充填量を検出する充填量検出手段は、このようなフローメータ３３に限定されるものではなく、例えば、容器Ｂの外から充填液のレベルを検出する非接触式のレベルセンサを用いるようにしてもよい。
【００２９】
バルブハウジング２の下部外面に形成された大径部２ａおよび小径部２ｂの外周に、円筒状の容器口パッキンユニット３２が嵌合している。この容器口パッキンユニット３２は、上部に形成された大径部３２ａとその下方の小径部３２ｂとを有しており、この大径部３２ａの内面がバルブハウジング２の大径部２ａの外面に常時嵌合し、小径部３２ｂの内面はバルブハウジング２の小径部２ｂの外面に嵌合可能になっている。容器口パッキンユニット３２の大径部３２ａの内面には第１シール部材３４が嵌着され、前記バルブハウジング２の大径部２ａの外面との間の気密を保持している。また、容器口パッキンユニット３２の小径部３２ｂの内面に第２のシール部材３６が嵌着され、この小径部３２ｂがバルブハウジング２の小径部２ｂに嵌合しているときには、これら両者２ｂ、３２ｂの間の気密を保持するようになっている。
【００３０】
容器口パッキンユニット３２の下端には、この充填バルブ１を備えた充填装置によって充填される容器Ｂの口径とほぼ一致する径を有する容器口パッキン（シール部材）３８が取り付けられている。この容器口パッキンユニット３２は、バルブハウジング２に取り付けられたパッキン昇降用エアシリンダ（シール用昇降手段）４２によって昇降できるようになっており、容器Ｂ内に充填を行うときには、このパッキン昇降用エアシリンダ４２によって容器口パッキンユニット３２を下降させ、容器口パッキン３８を容器Ｂの口部に密着させてこの容器Ｂ内を密封する。容器口パッキンユニット３２のパッキン３８よりも下方側の内面３２ｃは、下方に向けて拡大するテーパ状になっており、容器口パッキン３８に押し付けられる容器Ｂの口部をガイドするようになっている。なお、前記充填ノズル３１の先端部の外径は、この容器口パッキン３８の内径よりも大きく、両者間に隙間が形成されるようになっている。
【００３１】
前記バルブハウジング２の内部には、小径部２ｂの下端面に開口する二本の気体通路４４、４６が設けられている。一方の気体通路４４はカウンタ通路（排気通路）であり、第１の開閉弁４８を介して、図示しない充填液タンクのヘッドスペース（貯留された充填液の上方の気相部）と大気とに切り換え可能に接続されている。また、他方の気体通路４６はスニフト通路であり、第２の開閉弁５０を介して、大気と連通している。なお、スニフト通路４６の下端部は図示を省略してあるが、前記排気通路４４と平行して形成されており、バルブハウジング２の小径部２ｂの下端面に、排気通路４４の開口部４４ａと隣接して開口している。この実施の形態の充填バルブ１は、バルブハウジング２の壁面内を通る排気通路４４を設けて、充填液タンクのヘッドスペースに接続させているので、従来の充填バルブが備えていたベントチューブをなくすことができ、型替の際にアタッチメントを交換する必要がなくなった。
【００３２】
また、バルブハウジング２内には、前記小径部２ｂの下端面に開口する二本の気体通路４４、４６と別の第３の気体通路５２が形成されている。この第３の気体通路５２は充填液落下用のエア通路であり、一端は、前記排気通路４４の開閉弁４８よりも下流側に接続され、他端は、充填液通路４の前記液バルブ８よりも下流側の充填ノズル３１内に開口している。この充填液落下用エア通路５２は、第３の開閉弁５４によって開閉できるようになっており、充填終了時に開閉弁５４を開放して充填ノズル３１内にエアを供給し、充填ノズル３１の通路３１ａ内に充填液が残留しないようにする。
【００３３】
以上の構成に係る充填バルブ１の作動について説明する。先ず、炭酸飲料等の充填液を加圧充填するガス詰め充填を行う場合について説明する。ガス詰め充填の場合には、図示しない充填液タンク内に充填液を収容し、その上部の空間に加圧した炭酸ガスを封入する。
【００３４】
この実施の形態に係る充填装置は、前述のようにリフタレスタイプの充填装置であり、水平搬送された容器Ｂが、前記充填バルブ１の下方に供給される時点では、容器口パッキンユニット３２はパッキン昇降用エアシリンダ４２によって上昇した位置にあり、容器Ｂが供給された後にこの容器口パッキンユニット３２が下降される。容器口パッキンユニット３２が下降されると、その下部に取り付けられている容器口パッキン３８が容器Ｂの口部に圧着されてこの容器Ｂ内を密封する。
【００３５】
充填開始時には、排気通路４４は充填液タンク（図示せず）の気相部（充填液の上部の空間）に連通しており、前記のように容器口パッキン３８によって容器Ｂ内を密封した後、排気通路４４およびスニフト通路４６の開閉弁４８、５０を開放する。充填液タンク内の加圧した炭酸ガスが、排気通路４４から容器Ｂ内に導入されるとともに、容器Ｂ内のエアがスニフト通路４６を介して排出される。所定時間経過後、スニフト通路４６の開閉弁５０を閉じ、炭酸ガスの排出を停止する。その後、液バルブ開閉用のエアシリンダ１６を作動させて、昇降ロッド１０およびこのロッド１０と一体の弁体１２を上昇させ、弁体１２を弁座１４から離座させて液バルブ８を開放し充填を開始する。
【００３６】
充填液タンクから充填液供給配管６を通って供給された充填液が、バルブハウジング２内の充填液通路４および充填ノズル３１を通って容器Ｂ内に充填されるとともに、容器Ｂ内の炭酸ガスは、排気通路４４から排出されて充填液タンク内の気相部に戻される。容器Ｂ内に充填される充填液は、充填液供給配管６から充填液通路４内に流入すると、大径部４ａで流路面積が拡大するので流れが緩やかになり、さらに、その大径部４ａの下方の絞り部４ｂで流れが抑制されるので、加圧されて充填される場合でも、容器Ｂ内に緩やかに流入し、泡立つおそれがない。また、充填液通路４内には、整流羽根３０が設けられ、しかも、充填ノズル３１の液通路３１ａは下方に向けて小径となるテーパ状なので、充填液はさらに整流されて容器Ｂ内に緩やかに流入する。
【００３７】
充填バルブ１に充填液を供給する充填液供給配管６にはフローメータ３３が設けられており、所定量の充填液が充填されたことを検出すると、前記エアシリンダ１６の作動によって液バルブ８が閉じられ充填が終了する。また、排気通路４４の開閉弁４８を閉鎖するとともに、充填液落下用エア通路５２の開閉弁５４を開放して充填ノズル３１内にエアを供給し、充填ノズル３１内に充填液が残留しないようにする。
【００３８】
充填終了後、さらに、スニフト通路４６の開閉弁５０を開き、後に容器口パッキン３８を容器Ｂから離したときに充填液が急激に発泡しないように、容器Ｂのヘッドスペース内から圧力ガスを徐々に放出して大気圧と同圧にする。その後、昇降用エアシリンダ４２によって容器口パッキンユニット３２を上昇させて第１パッキン３８を容器Ｂから離し、この容器Ｂを充填装置から排出する。
【００３９】
前記充填バルブ１は、ガス詰め充填を行う場合だけでなく、ノンガス充填にも適用することができる。この場合には、排気通路４４を大気に開放した状態にしておき、スニフト通路４６の開閉弁５０を閉鎖するとともに、排気通路４４の開閉弁４８を開放する。この状態で容器Ｂが供給されると、容器口パッキンユニット３２を昇降用エアシリンダ４２によって下降させ、容器口パッキン３８を容器Ｂの口部に密着させた後、液バルブ８を開放して充填を開始する。充填が終了すると、ガス飲料の充填時と同様に排気通路４４の開閉弁４８を閉鎖するとともに、充填液落下用エア通路５２の開閉弁５４を開放して充填ノズル３１内にエアを供給して、充填ノズル３１内に充填液が残らないようにする。なお、ノンガス充填の場合には、必ずしも容器口パッキン３８によって容器Ｂの口部を密封する必要はない。
【００４０】
前記構成の充填バルブ１では、容器Ｂの形状やサイズに影響を受けることなく充填を行うことができる。また、容器Ｂの口部のサイズが同一ならば、ベントチューブ等を交換する必要がない。従って、びん、ペット容器、リシール缶等の各種容器に兼用可能である。さらに、容器Ｂを昇降させる機構を必要としないリフタレス方式の充填装置にすることができるので、充填装置の構造が簡素になる。また、排気通路４４の開口部４４ａが、充填ノズル３１の外側に配置され、しかも、その先端の開口部（注液口）よりも上方に位置しているので、充填液に接触することがなくサニタリー性に優れている。また、排気通路４４が常にドライであるから、加圧ガスを吹き込む際にミストを吹き込むことがないので、フォーミングしにくいという効果も得られる。
【００４１】
なお、前記充填バルブ１は、リフタレス方式の充填装置に限らず、容器Ｂを昇降させるリフタ式の充填装置にも適用可能である。この場合には、びん口パッキンは昇降式にする必要はなく、固定式でよい。また、リフタ式の場合には、充填ノズルを容器内に挿入して充填することが可能であるが、充填ノズル下端が容器の入味高さ以上に位置させる、つまり、充填液面に接触しないようにする必要がある。
【００４２】
【発明の効果】
以上説明したように本発明によれば、内部に充填液供給配管に連通する充填液通路が形成されるとともに、下端に充填ノズルが設けられたバルブハウジングと、前記充填液通路を開閉する液バルブと、この液バルブを昇降させる液バルブ昇降手段と、前記バルブハウジングに設けられ、供給された容器の口部をシールするシール手段と、このシール手段と容器とを相対的に昇降させるシール用昇降手段と、容器内に充填される充填液量を検出する充填量検出手段と、前記バルブハウジングに形成され、容器内部の気体を排出する排気通路とを備え、前記排気通路の容器側開口部を、前記充填ノズルの開口部の外側に位置するように形成するとともに、前記充填ノズルの開口部を容器内の充填液の入味高さよりも上方に位置させた状態で充填を行うようにしたので、サニタリー性に優れている。しかも、異なる形状、サイズの容器に兼用する場合でも、アタッチメントの交換が必要なく、しかも、容器の中央から充填するので、容器の形状に左右されず安定した充填を行うことができる。
【図面の簡単な説明】
【図１】本発明の一実施の形態に係る充填バルブの縦断面図である。
【図２】前記充填バルブの要部（充填液供給配管と充填液通路との接続部）を拡大して示す断面図である。
【符号の説明】
Ｂ　　容器
２　　バルブハウジング
４　　充填液通路
６　　充填液供給配管
８　　液バルブ
１６　　液バルブ昇降手段（エアシリンダ）
３１　　充填ノズル
３３　　充填量検出手段
３８　　シール手段
４２　　シール用昇降手段（エアシリンダ）
４４　　排気通路
【図１】
2004136927.tif 000003
【図２】
2004136927.tif 000004